(57)【要約】【課題】  扉の変形を抑制しつつ、本体ケーシングの大型化を抑制しつつ、転写ローラを感光ドラムへ向けて押圧することができる画像形成装置、および感光体カートリッジを提供することができる。【解決手段】  本体ケーシング１１に対して着脱可能であり、感光ドラム６１と、転写ローラ６３と、を備えた感光体カートリッジ６０と、本体ケーシングに設けられた付勢部材１２０と、を備えたレーザプリンタ１において、感光体カートリッジ６０は、付勢部材１２０から所定の付勢方向Ｙの付勢力を受けるとともに、その付勢力を転写ローラ６３から感光ドラム６１へと変換するように、回転可能に構成されている変換部材１４０を備えている。【選択図】図４
2016090697.tif 000002
【特許請求の範囲】
【請求項１】
感光ドラムと、前記感光ドラムに所定の押圧方向に押圧される転写ローラと、前記感光ドラムと前記転写ローラとを収容する感光体ケーシングと、を有する感光体カートリッジと、前記転写ローラを挟んで前記感光ドラムとは反対側に配置された開口と付勢部材とを有する本体ケーシングと、前記開口を覆う扉と、を備えた画像形成装置であって、
前記付勢部材は、前記感光体ケーシングの着脱経路外に配置され、
前記感光体カートリッジは、前記感光ドラムの回転軸線に沿う第１回転軸線の周りを回転可能に構成され、前記付勢部材から所定の付勢方向の付勢力を受けるとともに、前記付勢方向を前記押圧方向に変換するための変換部材を備えている、ことを特徴とする画像形成装置。
【請求項２】
前記変換部材は、前記第１回転軸線に沿って配置された軸と、前記付勢部材から付勢力を受ける第１部分を有し、前記軸から前記開口に近づくように延びる第１延出部と、前記転写ローラを押圧する第２部分を有し、前記軸から前記第１延出部とは異なる方向に延びる第２延出部と、を備え、
前記第１部分は、前記感光体ケーシングの装着経路外に配置されている、ことを特徴とする請求項１に記載の画像形成装置。
【請求項３】
前記軸から前記第１部分までの寸法は、前記軸から前記第２部分までの寸法よりも大きい、ことを特徴とする請求項１または２に記載の画像形成装置。
【請求項４】
前記開口を覆う扉と、
前記扉が閉状態のときに、前記変換部材が前記付勢部材から受ける付勢力を第１の付勢力にし、前記扉が開状態のときに、前記変換部材が前記付勢部材から受ける付勢力を第１の付勢力よりも小さい第２の付勢力とする連動部材と、をさらに備えていることを特徴とする請求項１から３のいずれか一項に記載の画像形成装置。
【請求項５】
前記扉は、前記本体ケーシングの前記開口を覆う本体部と、前記本体部から前記本体ケーシングの内部に向けて突出する突起と、を備え、
前記連動部材は、
前記第１回転軸線に沿う軸と、
前記扉が開状態のときに前記突起と接触する第３部分と、
前記付勢方向とは反対方向に記付勢部材を付勢する第４部分と、を備え、
前記軸の周りを回転可能に構成されている、ことを特徴とする請求項４に記載の画像形成装置。
【請求項６】
前記軸から前記第３部分までの寸法は、前記軸から前記第４部分までの寸法よりも大きい、ことを特徴とする請求項５に記載の画像形成装置。
【請求項７】
開口と付勢部材とを有する本体ケーシングを備えた画像形成装置に着脱可能に構成された感光体カートリッジであって、
感光ドラムと、
前記感光ドラムに所定の押圧方向に押圧されて前記感光ドラムとの間で転写ニップを形成する転写ローラと、
前記感光ドラムと前記転写ローラとを収容する感光体ケーシングと、
前記感光ドラムの回転軸線に沿う第１回転軸線の周りを回転可能に構成され、前記付勢部材から所定の付勢方向の付勢力を受けるとともに、前記付勢方向を前記押圧方向に変換するための変換部材と、を備えている、ことを特徴とする感光体カートリッジ。
【請求項８】
前記変換部材は、前記付勢部材から付勢力を受ける第１部分を有する第１部分と、前記転写ローラを押圧する第２部分を有する第２部分と、を有し、
前記第１回転軸線から前記第１部分の前記第１部分までの寸法は、前記第１回転軸線から前記第２部分の前記第２部分までの寸法よりも大きい、ことを特徴とする請求項７に記載の感光体カートリッジ。
【発明の詳細な説明】
【技術分野】
【０００１】
本発明は、電子写真方式が採用される画像形成装置および感光体カートリッジに関する。
【背景技術】
【０００２】
従来、電子写真方式の画像形成装置は、感光ドラムと転写ローラと感光ドラムと転写ローラとを収容している感光体ケーシングとを有する感光体カートリッジと、転写ローラを挟んで感光ドラムと反対側に配置され、感光体カートリッジを通過させるための開口を有する本体ケーシングと、開口を覆うための扉と、を備えている。
【０００３】
この扉は、閉状態のときに、転写ローラを感光ドラムに向けて付勢するための付勢部材を備えている。付勢部材は、扉が閉状態のときに転写ローラと接触するとともに感光体ケーシングの着脱経路内に位置し、転写ローラを感光ドラムに向けて所定の付勢力で付勢する。また、このとき、付勢部材の付勢力は、その方向を変えずに転写ローラへ伝達され、転写ローラは、感光ドラムに向けて押圧される。言い換えると、付勢部材の付勢方向は、転写ローラが感光ドラムへ押圧される方向と同一である。一方、付勢部材は、扉が開状態のときに転写ローラから離間するとともに感光体ケーシングの着脱経路外に位置している。
【先行技術文献】
【特許文献】
【０００４】
【特許文献１】特開平６−１６１１６３
【発明の概要】
【発明が解決しようとする課題】
【０００５】
しかしながら、このような構成によると、転写ローラが感光ドラムを押圧することによって生じる反力は、付勢部材を介して扉に直接加わってしまう。その結果、扉が変形するおそれがあった。特に、画像形成装置を小型化する場合には、扉を小型化および薄型化する必要がある。すると、より一層、扉が変形するおそれがあった。
【０００６】
この問題を解決するために、本体ケーシングに付勢部材を配置する構成が考えられる。しかしながら、このような構成によると、付勢部材は、本体ケーシングの内部にて、転写ローラと接触するとともに感光体ケーシングの着脱経路内に位置する位置と転写ローラから離間するとともに感光体ケーシングの着脱経路外に位置する位置との間を移動可能に構成されることとなる。そのため、本体ケーシングおよび付勢部材の構成は、複雑になってしまう。
【０００７】
また、このような構成によると、付勢部材の付勢方向を転写ローラが感光ドラムへ押圧される方向と同一とすることが難しくなってしまう。そのため、転写ローラを感光ドラムに向けて所定の方向へ押圧できない。
【０００８】
そこで、本発明は、上記の問題に鑑みなされたものであり、扉の変形を抑制しつつ、簡単な構成で、転写ローラを感光ドラムに向けて所定の方向へ押圧することができる画像形成装置および感光体カートリッジを提供することを目的とする。
【課題を解決するための手段】
【０００９】
（１）上記の課題を達成するために、本発明の画像形成装置は、感光ドラムと、感光ドラムに所定の押圧方向に押圧される転写ローラと、前記感光ドラムと前記転写ローラとを収容する感光体ケーシングとを有する感光体カートリッジと、転写ローラを挟んで感光ドラムとは反対側に感光体カートリッジが通過するように配置された開口と付勢部材とを有する本体ケーシングと、開口を覆う扉と、を備えている。また、付勢部材は、感光体カートリッジの着脱経路外に配置されている。また、感光体カートリッジは、感光ドラムの回転軸線に沿う第１回転軸線の周りを回転可能に構成され、付勢部材から所定の付勢方向の付勢力を受けるとともに、付勢方向を押圧方向に変換するための変換部材を備えている。
【００１０】
このような構成によれば、付勢部材が扉に配置されていないため、転写ローラが感光ドラムを押圧することによって生じる反力は、付勢部材を介して扉に直接伝わらない。また、転写ローラと付勢部材との間に変換部材が配置されているため、付勢部材は、本体ケーシングの内部にて感光体ケーシングの装着経路内と感光体ケーシングの装着経路外との間を移動する必要がない。さらに、付勢部材の付勢方向と転写ローラが感光ドラムへ押圧される方向とが異なっていても、転写ローラを感光ドラムに向けて所定の方向へ押圧することができる。
【００１１】
その結果、扉の変形を抑制しつつ、簡単な構成で、転写ローラを感光ドラムに向けて所定の方向へ押圧することができる。
【００１２】
（２）また、変換部材は、第１回転軸線に沿って配置された軸と、付勢部材から付勢力を受ける第１部分を有し、軸から開口に近づくように延びる第１延出部と、転写ローラを押圧する第２部分を有し、軸から第１延出部とは異なる方向に延びる第２延出部と、を備えていてもよい。また、第１部分は、感光体ケーシングの装着経路外に配置されていてもよい。
【００１３】
このような構成によれば、第１部分が付勢部材と接触するときに、感光体ケーシングは、付勢部材と接触しない。そのため、感光体カートリッジを本体ケーシングに装着するときに、付勢部材と感光多カートリッジの装着抵抗は、小さくなる。その結果、ユーザは、感光体カートリッジを装着しやすくなる。
【００１４】
（３）軸から第１部分までの寸法は、軸から第２部分までの寸法よりも大きくてもよい。
【００１５】
このような構成によれば、第１回転軸線から第１部分までの寸法が第１回転軸線から第２部分までの寸法よりも小さい場合に比べて、転写ローラを感光ドラムに向けて押圧するための付勢部材の付勢力は、小さくなる。そのため、簡単な構成で、安定した押圧力を転写ローラに付与できる。
【００１６】
（４）開口を覆う扉と、扉が閉状態のときに、変換部材が付勢部材から受ける付勢力を第１の付勢力にし、扉が開状態のときに、変換部材が付勢部材から受ける付勢力を第１の付勢力よりも小さい第２の付勢力とする連動部材と、をさらに備えていてもよい。
【００１７】
このような構成によれば、扉の開位置に位置するときの方が、扉が閉位置に位置するときに比べて、変換部材が付勢部材から受ける付勢力は、小さくなる。そのため、ユーザが感光体カートリッジを本体ケーシングから着脱するときに、変換部材が付勢部材から受ける付勢力は、小さくなる。その結果、本体ケーシングから感光体カートリッジを容易に着脱することができる。
【００１８】
また、扉の開閉に連動して、変換部材が付勢部材から受ける付勢力は、変化する。そのため、扉の開閉動作と変換部材が付勢部材から受ける付勢力を変える動作とを一つの動作で実行することができる。その結果、ユーザの利便性を向上させることができる。
【００１９】
（５）扉は、本体ケーシングの開口を覆う本体部と、本体部から本体ケーシングの内部に向けて突出する突起と、を備えていてもよい。また、連動部材は、第１回転軸線に沿う軸と、扉が開状態のときに突起と接触する第３部分と、付勢方向とは反対方向に付勢部材を付勢する第４部分と、を備え、軸の周りを回転可能に構成されていてもよい。
【００２０】
このような構成によれば、扉を開放したときに、扉の突起は、連動部材の第１部分と接触する。すると、連動部材が軸の周りを回転し、連動部材の第２部分は、付勢方向とは反対側に付勢部材を付勢する。その結果、扉の開閉を検知するためのセンサや、当該センサの信号に応じて付勢部材の付勢力を変えるための部材を設ける必要が無い。つまり、簡単な構成で、変換部材が付勢部材から受ける付勢力を変えることができる。
【００２１】
（６）軸から第３部分までの寸法は、軸から第４部分までの寸法よりも大きくてもよい。
【００２２】
このような構成によれば、第２回転軸線から第３部分までの寸法が、第２回転軸線から第４部分までの寸法よりも小さい場合に比べて、付勢部材を付勢方向とは反対方向に付勢する付勢力は、大きくなる。そのため、簡単な構成で、付勢部材を付勢方向とは反対方向に付勢できる。
【００２３】
（７）上記の課題を達成するために、本発明の感光体カートリッジは、感光ドラムと、感光ドラムに所定の押圧方向に押圧されて感光ドラムとの間で転写ニップを形成する転写ローラと、感光ドラムの回転軸線に沿う第１回転軸線の周りを回転可能に構成され、付勢部材から所定の付勢方向の付勢力を受けるとともに、付勢方向を押圧方向に変換するための変換部材と、を備えている。
【００２４】
このような構成によれば、扉の変形を抑制しつつ、本体ケーシングの大型化を抑制しつつ、転写ローラを感光ドラムへ向けて押圧することができる。
【００２５】
（８）変換部材は、付勢部材から付勢力を受ける第１部分と、転写ローラを押圧する第２部分と、を有していてもよい。また、第１回転軸線から第１部分までの寸法は、第１回転軸線から第２部分までの寸法よりも大きくてもよい。
【００２６】
このような構成によれば、第１回転軸線から第１部分までの寸法が、第１回転軸線から第２部分までの寸法よりも小さい場合に比べて、転写ローラを感光ドラムに向けて押圧するための付勢部材の付勢力は、小さくなる。そのため、簡単な構成で、安定した押圧力を付与できる。
【発明の効果】
【００２７】
本発明によれば、付勢部材の配置の自由度を上げることが可能な画像形成装置、および感光体カートリッジを提供することができる。
【図面の簡単な説明】
【００２８】
【図１】レーザプリンタの断面の模式図。
【図２】図１のレーザプリンタの本体ケーシングから感光体カートリッジを着脱する着脱経路を拡大した拡大図。
【図３】本体ケーシングに感光体カートリッジを取り付けた状態を説明するための説明図。
【図４】図３の感光体カートリッジ、付勢部材および連動部材の断面の模式図。
【図５】感光体カートリッジの斜視図。
【図６】感光体カートリッジを本体ケーシングに装着し、扉を閉めた後の状態を説明するための説明図。
【発明を実施するための形態】
【００２９】
＜実施形態１＞
本発明の実施形態１について、適宜図面を参照しながら詳細に説明する。
【００３０】
１．レーザプリンタ１の全体構成
まず、図１を参照して、レーザプリンタ１の全体構成を説明する。レーザプリンタ１は、本体１０と、用紙を給紙するための給紙部２０と、給紙部２０において給紙された用紙に画像を形成するための画像形成部３０と、画像形成部３０において画像が形成された用紙を本体１０の外部へと排紙するための排紙部４０と、を備えている。
【００３１】
本体１０は、給紙部２０と、画像形成部３０と、排紙部４０と、を収容している。給紙部２０は、用紙を収容するための給紙カセット２１と、給紙カセット２１からピックアップした用紙を画像形成部３０に向けて搬送するための給紙ローラ２２と、を備えている。
【００３２】
画像形成部３０は、露光装置５０と、感光体カートリッジ６０と、現像カートリッジ７０と、定着装置８０と、を備えている。露光装置５０は、感光ドラム６１の外周面に静電潜像を形成する。感光体カートリッジ６０は、感光ドラム６１と、感光ドラム６１の外周面上を一様に帯電させるための帯電器６２と、感光ドラム６１の外周面上に担持された現像剤像を用紙に転写するための転写ローラ６３と、を備えている。転写ローラ６３は、感光ドラム６１と接触して転写ニップＮ１を形成している。
【００３３】
現像カートリッジ７０は、感光体カートリッジ６０よりも後側に配置され、現像ローラ７１と、供給ローラ７２と、を備えている。定着装置８０は、内部にヒータを有している加熱ローラ８１と、加熱ローラ８１と接触して定着ニップＮ２を形成する加圧ローラ８２と、を備えている。
【００３４】
排紙部４０は、定着装置８０から搬送された用紙を本体１０の外部へと排紙するように構成されている。
【００３５】
２．本体１０の構成
次に、図２および図３を参照して、本体１０の構成について説明する。
【００３６】
本体１０は、図２に示すように、本体ケーシング１１と、扉１２と、を備えている。本体ケーシング１１は、前側に感光体カートリッジ６０を通過させるための開口Ａを有し、ガイド１００と、位置決めバネ１１０と、付勢部材１２０と、連動部材１３０と、を備えている。
【００３７】
ガイド１００は、感光体カートリッジ６０を本体ケーシング１１の内部へと案内するために設けられ、開口Ａから本体ケーシング１１の内側に延びている。また、ガイド１００は、感光ドラム６１のドラム軸６１ａと係合する案内部１０１と、感光体カートリッジ６０を本体ケーシング１１の内部にて位置決めする位置決め部１０２と、を備えている。
【００３８】
位置決めバネ１１０は、捻じりコイルバネであり、感光体カートリッジ６０の装着方向Ｘにおいて位置決め部１０２よりも上流側に配置され、屈曲部１１１と、押圧部１１２と、を備えている。屈曲部１１１は、感光ドラム６１のドラム軸６１ａと接触することによって、上方に押し上げられる。すると、感光ドラム６１のドラム軸６１ａは、屈曲部１１１の下方を通過し、ガイド１００の位置決め部１０２に到達する。
【００３９】
押圧部１１２は、感光体カートリッジ６０の装着方向Ｘにおいて屈曲部１１１よりも下流側に配置され、感光ドラム６１のドラム軸６１ａをガイド１００の位置決め部１０２に向けて押圧する。すると、感光体カートリッジ６０は、本体ケーシング１１の内部に位置決めされる。
【００４０】
付勢部材１２０は、図３に示すように、本体ケーシング１１に設けられ、感光体カートリッジ６０が本体ケーシング１１の内部に位置決めされているときに、感光体カートリッジ６０の下方に配置されている。また、付勢部材１２０は、圧縮コイルバネであり、付勢部材１２０の付勢方向Ｙは、下方から上方に向かう方向となっている。言い換えると、付勢部材１２０の付勢方向Ｙは、感光体カートリッジ６０の装着方向Ｘと直交する方向となっている。
【００４１】
連動部材１３０は、本体ケーシング１１に設けられ、感光ドラム６１の回転軸線に沿って回転可能に構成されている。また、連動部材１３０は、略Ｓ字型に形成され、扉１２が閉位置のときに、変換部材１４０が付勢部材１２０から受ける付勢力を第１の付勢力とし、扉１２が開位置のときに、変換部材１４０が付勢部材１２０から受ける付勢力を第１の付勢力よりも小さい第２の付勢力とする。また、連動部材１３０は、感光ドラム６１の回転軸線に沿って配置された軸１３１と、扉１２と接触する第３延出部１３２と、付勢部材１２０および変換部材１４０と接触する第４延出部１３３と、を備えている。
【００４２】
第３延出部１３２は、軸１３１から開口Ａに向けて延び、扉１２が開位置のときに、扉１２の突起１４と接触する第３部分１３２ａを備えている。第４延出部１３３は、軸１３１から第３部分１３２とは異なる方向に延びている。言い換えると、第４部分１３３は、軸１３１を挟んで開口Ａと反対側に延びている。また、第４部分１３３は、付勢部材１２０と接触する第４部分１３３ａと、第４部分１３３ａを挟んで付勢部材１２０と反対側に配置され、感光体カートリッジ６０の変換部材１４０と接触する第５部分１３３ｂと、を備えている。軸１３１から第４部分１３３ａまでの寸法は、軸１３１から第３部分１３２ａまでの寸法よりも小さい。
【００４３】
扉１２は、本体ケーシング１１に形成された開口Ａを開閉するために回動可能に構成され、本体部１３と、突起１４と、を備えている。本体部１３は、開口Ａを覆うように構成され、扉１２が開位置に位置するときには、感光体カートリッジ６０の装着方向Ｘに延びている。
【００４４】
突起１４は、扉１２が開位置のときに、連動部材１３０の第３部分１３２と接触するように構成され、感光体カートリッジ６０の装着方向Ｘと直交する方向に延びている。言い換えると、突起１４は、扉１２が開位置に位置するときに、本体部１３の延びる方向と直交する方向に延びている。
【００４５】
２．感光体カートリッジ６０の構成
次に、図４および図５を参照して、感光体カートリッジ６０の構成を説明する。
【００４６】
感光体カートリッジ６０は、図４に示すように、感光ドラム６１と、帯電器６２と、転写ローラ６３と、を備えている。感光ドラム６１は、軸６１ａと、感光層６１ｂと、を備えている。転写ローラ６３は、軸６３ａと、軸６３ａを覆うように配置されたゴム層６３ｂと、軸６３ａの両端部に配置された軸受６３ｃと、を備えている。
【００４７】
感光体カートリッジ６０は、さらに、感光体ケーシング１４０と、変換部材１５０と、回転止め１６０と、を備えている。感光体ケーシング１４０は、感光ドラム６１と、帯電器６２と、転写ローラ６３と、を収容している。
【００４８】
変換部材１５０は、感光ドラム６１の回転軸線に沿う回転軸線の周りを回転可能に構成され、付勢部材１２０から所定の付勢方向Ｙの付勢力を受けるとともに、その付勢力の付勢方向Ｙを転写ローラ６３から感光ドラム６１に向けて押圧する押圧方向に変換する。また、変換部材１５０は、略コ字型の樹脂板であり、感光ドラム６１の回転軸線に沿って配置された軸１５１と、第１延出部１５２と、第２延出部１５３と、を備えている。
【００４９】
第１延出部１５２は、軸１５１から付勢部材１２０に向けて延び、連動部材１３０の第２部分１３３と接触する第１部分１５２ａを備えている。第２延出部１５３は、軸１５１から第１延出部１５２とは異なる方向に延び、転写ローラ６３と接触する第２部分１５３ａと、回転止め１６０と接触する第３部分１５３ｂと、を備えている。
【００５０】
第２部分１５３ａは、感光体カートリッジ６０を本体ケーシング１１の内部に装着し、扉１２を閉めたときに、転写ローラ６３の軸受６３ｃと接触する。つまり、第２部分１５３ａは、変換部材１４０が付勢部材１２０から受ける付勢力が第１の付勢力であるときに、転写ローラ６３の軸受６３ｃと接触する。一方、第２部分１５３ａは、扉１２を開けたときに、転写ローラ６３の軸受６３ｃから離間する。つまり、第２部分１５３ａは、変換部材１４０が付勢部材１２０から受ける付勢力を第２の付勢力としたときに、転写ローラ６３の軸受６３ｃから離間する。また、軸１５１から第１部分１５２ａまでの寸法は、軸１５１から第２部分１５３ａまでの寸法よりも大きい。
【００５１】
第３部分１５３ｂは、感光体カートリッジ６０を本体ケーシング１１の内部に装着し、扉１２を閉めたときに、回転止め１６０と離間する。つまり、第３部分１５３ｂは、変換部材１４０が付勢部材１２０から受ける付勢力を第１の付勢力としたときに、回転止め１６０と離間する。一方、第３部分１５３ｂは、扉１２を開けたときに、回転止め１６０と接触する。つまり、第３部分１５３ｂは、変換部材１４０が付勢部材１２０から受ける付勢力を第２の付勢力としたときに、回転止め１６０と接触する。そのため、変換部材１５０は、感光体カートリッジ６０が本体ケーシング１１から着脱するときには、回転止め１６０によって所定の位置に位置決めされている。
【００５２】
さらに、感光体ケーシング１４０は、図５に示すように、第１支持壁１４１と、第２支持壁１４２と、を備えている。第１支持壁１４１は、感光ドラム６１の回転軸線方向における感光体カートリッジ６０の端部に配置され、感光ドラム６１の軸６１ａを貫通して支持している。
【００５３】
第２支持壁１４２は、感光ドラム６１の回転軸線方向において第１支持壁１４１よりも内側に、第１支持壁１４１との間に間隔を隔てて配置されている。また、第２支持壁１４２は、転写ローラ６３の軸受け６３ｃと、変換部材１５０と、を支持している。このとき、転写ローラ６３の軸受け６３ｃの一部は、第１支持壁１４１と第２支持壁１４２との間の間隔に配置されている。そのため、転写ローラ６３の軸受け６３ｃの一部は、感光体ケーシング１４０の外部に露出している。また、変換部材１５０は、第１支持壁１４１と第２支持壁１４２との間の間隔に配置されている。また、感光ドラム６１の回転軸線方向における変換部材１５０の寸法は、第１支持壁１４１と第２支持壁１４２との間の間隔よりも小さい。
【００５４】
回転止め１６０は、第２支持壁１４２から感光ドラム６１の回転軸線方向の外側に向けて突出するとともに、変換部材１５０の第１部分１５２と第２部分１５３との間に配置されている。
【００５５】
４．感光体カートリッジ６０の装着
次に、図２、図３および図６を参照して、感光体カートリッジ６０が本体ケーシング１１に装着される過程について説明する。
【００５６】
まず、感光体カートリッジ６０が本体ケーシング１１に装着される前に、扉１２は、図２に示すように、開口Ａを開放する開位置に位置する。このとき、扉１２の突起１４は、連動部材１３０の第１部分１３２と接触する。そのため、連動部材１３０の第１部分１３２は、突起１４により上方に押し上げられ、軸１３１の周りを反時計方向に回転する。このとき、連動部材１３０の第２部分１３３は、付勢部材１２０を下方に向けて押圧する。言い換えると、連動部材１３０の第２部分１３３は、付勢部材１２０の付勢方向Ｙとは反対方向に、付勢部材１２０を押圧する。そのため、変換部材１４０が付勢部材１２０から受ける付勢力は、第２の付勢力に設定される。
【００５７】
この状態において、感光体ケーシング６０は、図３に示すように、開口Ａを通過して本体ケーシング１１の内部に装着される。具体的には、まず、感光ドラム６１の軸６１ａは、ガイド１００の案内部１０１に嵌合される。その後、感光ドラム６１の軸６１ａは、位置決めバネ１１０に向けて後方へと移動され、位置決めバネ１１０と接触する。さらに、その後、感光ドラム６１の軸６１ａは、位置決めバネ１１０を上方に押し上げて、位置決めバネ１１０の下方を通過することで、本体ケーシング１１の内部に押し込まれる。すると、感光ドラム６１の軸６１ａは、ガイド１００の位置決め部１０２と接触する。
【００５８】
また、このとき、連動部材１３０の第４延出部１３３は、変換部材１４０の第１延出部１４２と接触している。そのため、感光体カートリッジ６０は、本体ケーシング１１の内部に安定して位置決めされる。一方、変換部材１４０の第２延出部１４３は、転写ローラ６３の軸受け６３ｃから離間している。そのため、転写ローラ６３は、感光ドラム６１に所定の押圧力で押圧されていない。
【００５９】
その後、扉１２は、図６に示すように、閉位置に位置する。すると、扉１２の突起１４は、連動部材１３０の第１部分１３２から離れる。そのため、連動部材１３０は、軸１３１の周りを時計方向に回転する。すると、連動部材１３０の第４延出部１３３は、変換部材１５０の第１延出部１５２を押圧する。そのため、変換部材１４０が付勢部材１２０から受ける付勢力は、第２の付勢力から第１の付勢力に変化する。その結果、転写ローラ６３は、感光ドラム６１に所定の押圧力で押圧される。
【００６０】
５．実施形態１の作用効果
（１）変換部材１５０は、感光ドラム６１の回転軸線に沿う軸１５１の周りを回転可能に構成されている。
【００６１】
このような構成によれば、付勢部材１２０が扉１２に配置されていないため、転写ローラ６３が感光ドラム６１を押圧することによって生じる反力は、付勢部材１２０を介して扉１２に直接伝わらない。また、転写ローラ６３と付勢部材１２０との間に変換部材１４０が配置されているため、付勢部材１２０は、本体ケーシング１１の内部にて感光体カートリッジ６０の装着経路内と感光体カートリッジ６０の装着経路外との間を移動する必要がない。さらに、付勢部材の付勢方向と転写ローラが感光ドラムへ押圧される方向とが異なっていても、転写ローラを感光ドラムに向けて所定の方向へ押圧することができる。
【００６２】
その結果、扉の変形を抑制しつつ、簡単な構成で、転写ローラを感光ドラムに向けて所定の方向へ押圧することができる。
【００６３】
（２）第１部分１５２ａは、感光体ケーシング６０の装着経路外に配置されている。
【００６４】
このような構成によれば、第１部分１５２ａが付勢部材１２０と接触するときに、感光体ケーシング６０は、付勢部材１２０と接触しない。そのため、感光体カートリッジを本体ケーシングに装着するときに、付勢部材と感光多カートリッジの装着抵抗は、小さいくなる。その結果、ユーザは、感光体カートリッジを装着しやすくなる。
【００６５】
（３）軸１５１から第１部分１５２ａまでの寸法は、軸１５１から第２部分１５３ａまでの寸法よりも大きい。
【００６６】
このような構成によれば、転１５１から第１部分１５２ａまでの寸法が軸１５１から第２部分１５３ａまでの寸法よりも小さい場合に比べて、転写ローラ６３を感光ドラム６１に向けて押圧するための付勢部材１２０の付勢力は、小さくなる。そのため、簡単な構成で、安定した押圧力を転写ローラ６３に付与できる。
【００６７】
（４）連動部材１３０は、扉１２が閉状態のときに、変換部材１４０が付勢部材１２０から受ける付勢力を第１の付勢力にし、扉１２が開状態のときに、変換部材１４０が付勢部材１２０から受ける付勢力を第１の付勢力よりも小さい第２の付勢力とする。
【００６８】
このような構成によれば、扉１２が開位置に位置するときの方が、扉が閉位置に位置するときに比べて、変換部材１４０が付勢部材１２０から受ける付勢力は、小さくなる。そのため、ユーザが感光体カートリッジ６０を本体ケーシング１１から着脱するときに、変換部材１４０が付勢部材１２０から受ける付勢力は、小さくなる。その結果、本体ケーシング１１から感光体カートリッジ６０を容易に着脱することができる。
【００６９】
また、扉１２の開閉に連動して、付勢部材１２０の付勢力は、変化する。そのため、扉１２の開閉動作と変換部材１４０が付勢部材１２０から受ける付勢力を変える動作とを一つの動作で実行することができる。その結果、ユーザの利便性が向上する。
【００７０】
（５）連動部材１３０は、軸１３１の周りを回転可能に構成され、扉１２が開状態のときに扉１２の突起１４と接触する第３部分１３２ａと、付勢方向Ｙとは反対方向に付勢部材１２０を付勢する第４部分１３３ａと、を備えている。
【００７１】
このような構成によれば、扉１２を開放したときに、扉１２の突起１４は、連動部材１３０の第３部分１３２ａと接触する。すると、連動部材１３０が軸１３１の周りを回転し、連動部材１３０の第４部分１３３ａは、付勢方向Ｙとは反対側に付勢部材１２０を付勢する。その結果、扉１２の開閉を検知するためのセンサや、そのセンサの信号に応じて変換部材１４０が付勢部材１２０から受ける付勢力を変えるための部材を設ける必要が無い。つまり、簡単な構成で、変換部材１４０が付勢部材１２０から受ける付勢力を変えることができる。
【００７２】
（６）連動部材１３０の軸１３１から連動部材１３０の第３部分１３２ａまでの寸法は、連動部材１３０の軸１３１から連動部材１３０の第４部分１３３ａまでの寸法よりも大きい。
【００７３】
このような構成によれば、軸１３１から第３部分１３２ａまでの寸法が、軸１３１から第４部分１３３ａまでの寸法よりも小さい場合に比べて、付勢部材１２０を付勢方向Ｙとは反対方向に付勢する付勢力は、大きくなる。そのため、簡単な構成で、付勢部材１２０を付勢方向Ｙとは反対方向に付勢できる。
【００７４】
＜変形例＞
本実施形態において、連動部材１３０は、略Ｓ字型に構成されていた。しかし、本発明は、これに限定されない。たとえば、連動部材１３０は、平板状に構成されていてもよい。
【００７５】
また、本実施形態において、変換部材１４０は、略コ字型に構成されていた。しかし、本発明は、これに限定されない。たとえば、変換部材１４０は、楕円形やＬ字型に構成されていてもよい。
【００７６】
また、本実施形態において、付勢部材１２０は、連動部材１３０を介して変換部材１４０と接触していた。しかし、本発明は、これに限定されない。たとえば、付勢部材１２０は、変換部材１４０と直接接触してもよい。
【００７７】
また、本実施形態において、感光体カートリッジ６０は、感光ドラム６１と、転写ローラ６３と、を備えていた。しかし、本発明は、これに限定されない。たとえば、感光体カートリッジ６０は、現像ローラ７１と、供給ローラ７２と、を備えていてもよい。つまり、感光体カートリッジ６０は、現像カートリッジ７０と一体で構成されていてもよい。
【符号の説明】
【００７８】
１          レーザプリンタ
１０        本体
１１        本体ケーシング
１２        扉
１３        本体
１４        突起
６０        プロセスカートリッジ
６０        感光体カートリッジ
６１        感光ドラム
６１ａ      軸
６１ｂ      感光層
６３        転写ローラ
６３ａ      軸
６３ｂ      ゴム層
６３ｃ      軸受
１２０      付勢部材
１３０      連動部材
１４０      感光体ケーシング
１５０      変換部材
Ｘ          装着方向
Ｙ          付勢方向
【図１】
2016090697.tif 000003
【図２】
2016090697.tif 000004
【図３】
2016090697.tif 000005
【図４】
2016090697.tif 000006
【図５】
2016090697.tif 000007
【図６】
2016090697.tif 000008